(57)【要約】【課題】ワンアクションタイプのコネクタであって、アクチュエータの操作によりロックが解除されたことを操作者が感知可能となるようなコネクタを提供すること。【解決手段】コネクタ１０とＦＰＣ５０との接続嵌合状態がロック部５１０によりロックされている状態において、アクチュエータ５００を操作してロック部５１０を解除位置まで移動させる過程で、バネ片４００を引掛け部５５０によって変形させる一方で、ロック部５１０が解除位置に到達すると、バネ片４００が引掛け部５５０から外れるように構成しておくことで、アクチュエータ５００の操作者にクリック感を感知させ、それによって、ＦＰＣ５０を抜去可能となったことを認識させる。【選択図】図９
2012204163.tif 000002
【特許請求の範囲】
【請求項１】
挿入方向に沿って接続対象物を挿入されることにより前記接続対象物との接続状態をロックするコネクタであって、
前記接続状態をロックするロック位置と前記挿入方向の逆方向である抜去方向に沿って前記接続対象物を抜去可能とする解除位置とをとり得るロック部と、
前記ロック部の位置を操作するためのアクチュエータと、
下面を有し且つ前記挿入方向に向かって延びるバネ片と
前記アクチュエータの操作により前記ロック部と連動して変位する引掛け部と、
前記ロック部を前記ロック位置に位置させるようにアクチュエータを付勢する付勢部材と
を備えており、
前記引掛け部は、前記ロック部が前記ロック位置にあるときに前記バネ片の前記下面の下側に位置しており、
前記付勢に抗って前記アクチュエータを操作することにより前記ロック部が前記解除位置に移動する際に前記引掛け部が前記バネ片の前記下面の一部を押し上げて前記バネ片を弾性変形させ、更に、前記ロック部が前記解除位置に到達した後に前記バネ片が前記引掛け部から外れるように、前記バネ片と前記引掛け部とが構成されている
コネクタ。
【請求項２】
請求項１記載のコネクタであって、
前記ロック部が前記解除位置にあるときに前記アクチュエータの操作を止めると前記ロック部が前記ロック位置に戻るまで前記付勢により前記アクチュエータが変位し、それによって前記引掛け部は前記バネ片を弾性変形させて前記バネ片の下側に戻る一方で前記バネ片は初期状態に戻るように、前記バネ片と前記引掛け部とが構成されている
コネクタ。
【請求項３】
請求項１又は請求項２記載のコネクタであって、
前記アクチュエータを支持するハウジングと、前記ハウジングに取り付けられるシェルとを更に備えており、
前記バネ片は、前記シェルと一体形成されている
コネクタ。
【請求項４】
請求項３記載のコネクタであって、
前記バネ片は、前記シェルの上部から前記挿入方向に突出している
コネクタ。
【請求項５】
請求項３又は請求項４記載のコネクタであって、
前記バネ片は、前記挿入方向と直交するピッチ方向に延びるバネ部と、前記バネ部を前記シェルから離すようにして支持する支持部とを有している
コネクタ。
【請求項６】
請求項５記載のコネクタであって、
前記バネ片は、前記支持部を一つのみ有している
コネクタ。
【請求項７】
請求項５記載のコネクタであって、
前記バネ片は、前記支持部を二つ有している
コネクタ。
【請求項８】
請求項１乃至請求項７のいずれかに記載のコネクタであって、
前記接続対象物が前記コネクタから抜去されているとき、前記バネ片と前記引掛け部とは離れている
コネクタ。
【請求項９】
請求項８記載のコネクタであって、
前記接続対象物が前記コネクタから抜去されているとき、前記引掛け部の上面は前記挿入方向と平行である
コネクタ。
【請求項１０】
請求項８又は請求項９記載のコネクタであって、
前記引掛け部の上面と前面は鋭角をなしている
コネクタ。
【請求項１１】
請求項１乃至請求項１０のいずれかに記載のコネクタであって、
前記アクチュエータと前記引掛け部とは、一体形成されている
コネクタ。
【請求項１２】
請求項１乃至請求項１１のいずれかに記載のコネクタであって、
前記ロック部が前記解除位置に移動する際に前記引掛け部から外れた前記バネ片を受ける受棚を更に備えている
コネクタ。
【請求項１３】
請求項１乃至請求項１２のいずれかに記載のコネクタであって、
前記挿入方向と直交するピッチ方向において、前記バネ片のサイズは前記引掛け部のサイズより大きい
コネクタ。
【発明の詳細な説明】
【技術分野】
【０００１】
本発明は、例えばＦＰＣ（Flexible Printed Circuit）のような板状の接続対象物や挿入部を有するプラグコネクタのような接続対象物と嵌合・接続するコネクタに関する。
【背景技術】
【０００２】
この種のコネクタとしては、例えば、特許文献１乃至特許文献３に開示されているようなアクチュエータを備えたものがある。特許文献１乃至特許文献３のアクチュエータは、接続対象物をコネクタに挿入することができる開位置と、挿入された接続対象物との嵌合状態をロックする閉位置との間で回動可能となるように構成されている。特許文献１乃至特許文献３のコネクタにおいては、アクチュエータを開位置と閉位置との間で回動操作する際にクリック感を得ることができるように構成されている。
【先行技術文献】
【特許文献】
【０００３】
【特許文献１】特開２００７−１４１７８８号公報
【特許文献２】特開２００８−２１８２５５号公報
【特許文献３】特開２００６−１７９５０５号公報
【発明の概要】
【発明が解決しようとする課題】
【０００４】
接続対象物をコネクタに挿入して両者を接続するだけで接続対象物との接続嵌合状態がロックされる（いわゆるワンアクションタイプ）一方で嵌合状態のロックを解除する際にはアクチュエータ（操作部材）の操作を要するコネクタがある。かかるワンアクションタイプのコネクタにおけるロック解除のために必要とされるアクチュエータの操作量は、上掲の特許文献１乃至特許文献３のアクチュエータの操作量と比較して極めて少ない。
【０００５】
アクチュエータは、一般的には樹脂で構成されており、過度の押圧が続くことは好ましくないにもかかわらず、既存のワンアクションタイプのコネクタには、操作量が適切であるか否かを操作者に感知させるような手段（例えば、クリック感の創出手段）が設けられていない。
【０００６】
そこで、本発明は、ワンアクションタイプのコネクタのようにアクチュエータの必要操作量が少ない場合であっても、アクチュエータの操作によりロックが解除された（即ち、接続対象物が抜去可能となった）ことを操作者が感知可能となるような構造（例えば、クリック感の創出機構）を有するコネクタを提供することを目的とする。
【課題を解決するための手段】
【０００７】
本発明は、第１のコネクタとして、
挿入方向に沿って接続対象物を挿入されることにより前記接続対象物との接続状態をロックするコネクタであって、
前記接続状態をロックするロック位置と前記挿入方向の逆方向である抜去方向に沿って前記接続対象物を抜去可能とする解除位置とをとり得るロック部と、
前記ロック部の位置を操作するためのアクチュエータと、
下面を有し且つ前記挿入方向に向かって延びるバネ片と
前記アクチュエータの操作により前記ロック部と連動して変位する引掛け部と、
前記ロック部を前記ロック位置に位置させるようにアクチュエータを付勢する付勢部材と
を備えており、
前記引掛け部は、前記ロック部が前記ロック位置にあるときに前記バネ片の前記下面の下側に位置しており、
前記付勢に抗って前記アクチュエータを操作することにより前記ロック部が前記解除位置に移動する際に前記引掛け部が前記バネ片の前記下面の一部を押し上げて前記バネ片を弾性変形させ、更に、前記ロック部が前記解除位置に到達した後に前記バネ片が前記引掛け部から外れるように、前記バネ片と前記引掛け部とが構成されている
コネクタを提供する。
【０００８】
また、本発明は、第２のコネクタとして、第１のコネクタであって、
前記ロック部が前記解除位置にあるときに前記アクチュエータの操作を止めると前記ロック部が前記ロック位置に戻るまで前記付勢により前記アクチュエータが変位し、それによって前記引掛け部は前記バネ片を弾性変形させて前記バネ片の下側に戻る一方で前記バネ片は初期状態に戻るように、前記バネ片と前記引掛け部とが構成されている
コネクタを提供する。
【０００９】
また、本発明は、第３のコネクタとして、第１又は第２のコネクタであって、
前記アクチュエータを支持するハウジングと、前記ハウジングに取り付けられるシェルとを更に備えており、
前記バネ片は、前記シェルと一体形成されている
コネクタを提供する。
【００１０】
また、本発明は、第４のコネクタとして、第３のコネクタであって、
前記バネ片は、前記シェルの上部から前記挿入方向に突出している
コネクタを提供する。
【００１１】
また、本発明は、第５のコネクタとして、第３又は第４のコネクタであって、
前記バネ片は、前記挿入方向と直交するピッチ方向に延びるバネ部と、前記バネ部を前記シェルから離すようにして支持する支持部とを有している
コネクタを提供する。
【００１２】
また、本発明は、第６のコネクタとして、第５のコネクタであって、
前記バネ片は、前記支持部を一つのみ有している
コネクタを提供する。
【００１３】
また、本発明は、第７のコネクタとして、第５のコネクタであって、
前記バネ片は、前記支持部を二つ有している
コネクタを提供する。
【００１４】
また、本発明は、第８のコネクタとして、第１乃至第７のいずれかのコネクタであって、
前記接続対象物が前記コネクタから抜去されているとき、前記バネ片と前記引掛け部とは離れている
コネクタを提供する。
【００１５】
また、本発明は、第９のコネクタとして、第８のコネクタであって、
前記接続対象物が前記コネクタから抜去されているとき、前記引掛け部の上面は前記挿入方向と平行である
コネクタを提供する。
【００１６】
また、本発明は、第１０のコネクタとして、第８又は第９のコネクタであって、
前記引掛け部の上面と前面は鋭角をなしている
コネクタを提供する。
【００１７】
また、本発明は、第１１のコネクタとして、第１乃至第１０のいずれかのコネクタであって、
前記アクチュエータと前記引掛け部とは、一体形成されている
コネクタを提供する。
【００１８】
また、本発明は、第１２のコネクタとして、第１乃至第１１のいずれかのコネクタであって、
前記ロック部が前記解除位置に移動する際に前記引掛け部から外れた前記バネ片を受ける受棚を更に備えている
コネクタを提供する。
【００１９】
また、本発明は、第１３のコネクタとして、第１乃至第１２のいずれかのコネクタであって、
前記挿入方向と直交するピッチ方向において、前記バネ片のサイズは前記引掛け部のサイズより大きい
コネクタを提供する。
【発明の効果】
【００２０】
本発明によれば、ロック部がロック位置から解除位置に変位させると、一時的に弾性変形したバネ片が引掛け部から外れることにより、ロック部の解除位置への到達を操作者にクリック感として感知させることができる。
【図面の簡単な説明】
【００２１】
【図１】本発明の第１の実施の形態によるコネクタを示す斜視図である。
【図２】図１のコネクタを示す正面図である。
【図３】図２のコネクタのIII--III線に沿った断面図である。
【図４】図３のコネクタの一部を拡大して示す断面図である。
【図５】図１のコネクタに含まれるシェルを示す斜視図である。
【図６】図１のコネクタに含まれるアクチュエータを示す斜視図である。
【図７】図３に対応する断面図であって、ＦＰＣ（接続対象物）が挿入されつつある状態を示す図である。
【図８】図７のコネクタの一部を拡大して示す断面図である。
【図９】図３に対応する断面図であって、ＦＰＣとコネクタとの接続をロックした状態を示す図である。
【図１０】図９のコネクタの一部を拡大して示す断面図である。
【図１１】図３に対応する断面図であって、ロック部が解除位置にあるときの状態を示す図である。
【図１２】図１１のコネクタの一部を拡大して示す断面図である。
【図１３】図３に対応する断面図であって、ロック部が解除位置にあるときにアクチュエータを離した後の状態を示す図である。
【図１４】図１３のコネクタの一部を拡大して示す断面図である。
【図１５】図１３のコネクタのシェル及びバネ片の変化を示す部分斜視図である。
【図１６】本発明の第２の実施の形態によるコネクタを示す斜視図である。
【図１７】図１６のコネクタを示す正面図である。
【図１８】図１７のXVIII-- XVIII線に沿った断面図である。
【図１９】図１６のコネクタに含まれるシェルを示す斜視図である。
【図２０】図１６のコネクタに含まれるアクチュエータを示す斜視図である。
【図２１】図１８に対応する断面図であって、ロック部が解除位置にあるときにアクチュエータを離した後の状態を示す図である。
【図２２】図２１のコネクタのシェル及びバネ片の変化を示す部分斜視図である。
【発明を実施するための形態】
【００２２】
（第１の実施の形態）
図１に示されるように、本発明の第１の実施の形態によるコネクタ１０は、ＦＰＣ５０を接続対象物とするものであり、ＦＰＣ５０を挿入方向（＋Ｘ方向）に沿って挿入口２０内に挿入することによりＦＰＣ５０とコネクタ１０との嵌合接続を図ると共にその嵌合接続状態をロックするタイプのものである。即ち、本実施の形態によるコネクタ１０は、所謂ワンアクションタイプのコネクタである。なお、ＦＰＣ５０の先端５２には複数の端子（図示せず）が形成されており、また、ＦＰＣ５０のピッチ方向（Ｙ方向）の両端には、ピッチ方向内側に凹んだ凹部５４が形成されている。これら凹部５４は、後述するように、ＦＰＣ５０とコネクタ１０との嵌合接続状態をロックする際に使用される。
【００２３】
図１乃至図６を参照すると、本実施の形態によるコネクタ１０は、金属製の複数のコンタクト１００と、コンタクト１００を保持する絶縁性のハウジング２００と、ハウジング２００に取り付けられる金属製のシェル３００と、ハウジング２００に揺動可能に支持される絶縁性のアクチュエータ５００とを備えている。
【００２４】
図３に示されるように、コンタクト１００は、上顎１１０と、下顎１２０と、それらを連結する被保持部１３０とを有している。このコンタクト１００は、ハウジング２００の後端２０２に形成された保持孔２１０に対して被保持部１３０を前端２０４に向けて（−Ｘ方向に沿って：抜去方向に沿って）圧入することにより、ハウジング２００に保持される。なお、コンタクト１００のハウジング２００に対する取り付けは、後述するように、ハウジング２００によるアクチュエータ５００の支持の後に行われる。
【００２５】
図１、図３及び図５を参照すると、シェル３００は、板状の上部３１０と、上部３１０の前端であってピッチ方向（Ｙ方向）の両端近傍から下方（−Ｚ方向）に延びる前部３２０と、前部３２０の下端から挿入方向（＋Ｘ方向）に沿って延びる板状の下部３３０と、上部３１０のピッチ方向の両端から下方に延びるホールドダウン３４０とを有している。図３から理解されるように、シェル３００は、ハウジング２００の前端２０４側からハウジング２００に取り付けられ、それによって、前部３２０は、ハウジング２００のピッチ方向の両端の前面をカバーしている（図１参照）。なお、シェル３００のハウジング２００に対する取り付けは、後述するように、ハウジング２００によるアクチュエータ５００の支持の後に行われる。
【００２６】
図５に示されるように、本実施の形態によるシェル３００には、バネ片４００が一体形成されている。本実施の形態によるバネ片４００は、ある程度シェル３００から独立した状態で変形可能となるように、構成されている。具体的には、バネ片４００は、シェル３００の上部３１０から挿入方向に向かって突出するように延びている。
【００２７】
図３乃至図５に示されるように、本実施の形態によるバネ片４００は、ピッチ方向に延びるバネ部４１０と、バネ部４１０をシェル３００から離すようにして支持する支持部４２０とを有している。本実施の形態において、支持部４２０はバネ部４１０の両端に設けられている。即ち、支持部４２０の数は２つであり、バネ片４００は幅広なＵ字状の形状を有している。支持部４２０の支持により、バネ部４１０とシェル３００との間には、間隙４３０が形成されている。
【００２８】
このため、バネ片４００は、主として支持部４２０を撓ませることによりバネ部４１０を上下に変位させることが可能であり、且つ、バネ部４１０、特にバネ部４１０の中心近傍を抜去方向（−Ｘ方向）に撓ませることも可能である。
【００２９】
更に、本実施の形態においては、ピッチ方向におけるバネ片４００とシェル３００の上部３１０との間に切り込み状部４４０が形成されている。これら切り込み状部４４０が設けられていることから、本実施の形態においては、バネ片４００のシェル３００からの突出量を抑えつつ、バネ片４００のシェル３００から独立した変形が可能となっている。
【００３０】
図２、図３及び図６に示されるように、アクチュエータ５００のピッチ方向（Ｙ方向）の両端には、断面爪状のロック部５１０が下方に向けて突出するように形成されている。本実施の形態において、これらロック部５１０はアクチュエータ５００の一部として形成されていることから、アクチュエータ５００を操作することによりロック部５１０の位置を変位させることができる。ロック部５１０は、アクチュエータ５００の操作により変位可能なものであればアクチュエータ５００と別部材で構成してもよい。
【００３１】
図１乃至図３及び図６から理解されるように、ロック部５１０は、ＦＰＣ５０をコネクタ１０に挿入した際に、ＦＰＣ５０の凹部５４内に位置して、ＦＰＣ５０とコネクタ１０との嵌合接続状態をロックするための部位である。これらロック部５１０は、アクチュエータ５００が揺動可能となるようにハウジング２００に支持された状態において、ロック位置と解除位置とをとり得る。ここで、ロック位置は、挿入されたＦＰＣ５０の凹部５４内にロック部５１０が入り込むことにより、それによって、ＦＰＣ５０とコネクタ１０との接続状態がロックされる場合のロック部５１０の位置である（図９参照）。一方、解除位置は、アクチュエータ５００を操作することによりロック部５１０を凹部５４の上方外側まで移動させ、それによってＦＰＣ５０を抜去方向（−Ｘ方向）に沿って抜去可能とするようなロック部５１０の位置である（図１１参照）。
【００３２】
図３及び図６に示されるように、アクチュエータ５００の下部には、コンタクト１００の上顎１１０を収容する収容部５２０が形成されている。図示された収容部５２０は、アクチュエータ５００の下部をＸ方向に沿って貫通している。この収容部５２０内には、上方に向かって隆起した被付勢部５２２が設けられている。アクチュエータ５００をハウジング２００に上方から部分的に挿入して揺動可能に支持させた後、コンタクト１００をハウジング２００の後端２０２側から−Ｘ方向に沿って圧入すると、上顎１１０が収容部５２０に収容され、上顎１１０と被付勢部５２２とが当接する。この上顎１１０と被付勢部５２２との当接により、アクチュエータ５００は図３に示される状態をとるように付勢される。このため、ＦＰＣ５０を挿入方向に沿って挿入口２０に挿入すると、ロック部５１０が一旦ＦＰＣ５０上に乗り上げた後（図７参照）、ＦＰＣ５０の凹部５４内に入り込むこととなり、上述したようにコネクタ１０とＦＰＣ５０との接続状態がロックされる（図９参照）。即ち、コンタクト１００の上顎１１０は、ロック部５１０をロック位置に位置させるように、アクチュエータ５００を付勢する付勢部材として機能している。
【００３３】
図１に示されるように、アクチュエータ５００の上部には、平板部５３０が設けられている。この平板部５３０はバキューム搬送手段の吸着用の部位である。図１、図３及び図５から理解されるように、この平板部５３０はハウジング２００にシェル３００を取り付けた際にシェル３００の上部３１０の上方に位置している。
【００３４】
図３、図４及び図６に示されるように、平板部５３０の下方にはバネ片４００の先端を受容する受容部５４０が形成されており、更にその下方には引掛け部５５０が突出形成されている。本実施の形態において、引掛け部５５０はアクチュエータ５００の一部として形成されていることから、アクチュエータ５００を操作することにより引掛け部５５０をロック部５１０と連動して変位させることができる。引掛け部５５０は、アクチュエータ５００の操作によりロック部５１０と連動して変位可能なものであればアクチュエータ５００と別部材で構成してもよい。
【００３５】
図３及び図４に示されるように、引掛け部５５０は、コネクタ１０とＦＰＣ５０とが嵌合していないとき、バネ片４００の下面４０２の下側に位置している。特に本実施の形態による引掛け部５５０は、コネクタ１０とＦＰＣ５０とが嵌合していないとき、バネ片４００と離れている（図３参照）。即ち、コネクタ１０とＦＰＣ５０とが未嵌合状態のとき、シェル３００やアクチュエータ５００に不要な応力が加わることを避けることができる。この不要な応力低減を確実なものとするため、具体的には、コネクタ１０とＦＰＣ５０とが未嵌合状態にあるとき、引掛け部５５０の上面５５２は挿入方向と平行になっている。即ち、引掛け部５５０の上面５５２は、図４に示されるように、バネ片４００の下面４０２と平行であり、且つ、バネ片４００の下面４０２から離れている。更に、図４に示されるように、本実施の形態による引掛け部５５０の上面５５２と前面５５４とは、ＸＺ平面内において鋭角をなしている。その前面５５４の下端には、受棚５６０が形成されている。本実施の形態による受棚５６０は、引掛け部５５０の前面５５４と直交している。即ち、引掛け部５５０の前面５５４と受棚５６０とのなす角は、バネ片４００の下面４０２と端面４０４とのなす角に等しい。なお、図５と図６の比較から理解されるように、引掛け部５５０のピッチ方向におけるサイズは、バネ片４００のサイズよりもかなり小さい。また、本実施の形態による引掛け部５５０は、バネ片４００のピッチ方向の中心部分に対応している。
【００３６】
このような構成を備えるコネクタ１０に対してＦＰＣ５０を挿入すると、まず、図７に示されるようにロック部５１０がＦＰＣ５０上に乗り上げ、ロック部５１０が凹部５４まで達すると（即ち、ＦＰＣ５０が適切な接続位置まで到達すると）、図９に示されるようにコンタクト１００の上顎１１０の付勢によりアクチュエータ５００が少し戻り、ロック部５１０が凹部５４内に入り込んで、コネクタ１０とＦＰＣ５０との接続状態がロックされる。この過程で、図８及び図１０に示されるように、バネ片４００の下面４０２の一部を引掛け部５５０が押し上げ、それによってバネ片４００を一点鎖線で示される初期状態から弾性変形させる。
【００３７】
図９及び図１０に示される嵌合接続状態において、アクチュエータ５００を押圧操作すると、図１１に示されるように、ロック部５１０がＦＰＣ５０の凹部５４の外に移動し、ＦＰＣ５０をコネクタ１０から抜去することが可能となる。この過程において、バネ片４００は一時的に図１０の状態よりも変形するが、ロック部５１０が解除位置に到達した後、バネ片４００が引掛け部５５０から外れ、初期状態に戻ったバネ片４００を受棚５６０が受けることとなる。このように弾性変形させられたバネ片４００が初期状態に復帰しようとする動きが、バネ片４００が引掛け部５５０から外れたときに、急激に生じる。この動きは、オルゴールにおいてピン（突起）が櫛歯を弾く動きに似ている。この引掛け部５５０がバネ片４００を弾いたことにより、アクチュエータ５００を操作した操作者は、一種のクリック感を得ることができる。即ち、アクチュエータ５００を操作した操作者は、ロック部５１０が解除位置に移動してＦＰＣ５０をコネクタ１０から抜去可能になったことをこのクリック感によって知ることができる。特に、本実施の形態においては、初期状態に戻ろうとしたバネ片４００が受棚５６０により受けられることから、操作者はより大きなクリック感を得ることができる。また、本実施の形態においては、受棚５６０と引掛け部５５０の前面５５４とのなす角がバネ片４００の下面４０２と端面４０４とのなす角に実質的に等しいことから受棚５６０にバネ片４００が受け止められた際に安定した状態を得ることができる。
【００３８】
ＦＰＣ５０をコネクタ１０から抜去した後、アクチュエータ５００の押圧操作を止めると、アクチュエータ５００は、コンタクト１００の上顎１１０の付勢により、ロック部５１０がロック位置に向かう方向に変位させられる。その過程において、図１３乃至図１５に示されるように、引掛け部５５０の前面５５４がバネ片４００の端面４０４を押圧して、バネ片４００の主としてバネ部４１０を変形させ、それによって、引掛け部５５０は、バネ片４００の下側にもぐりこむ。引掛け部５５０がバネ片４００の下側にもぐりこむと、バネ片４００は自己の弾性により図３及び図４に示されるような初期状態に復帰することができる。
【００３９】
上述したように、本実施の形態においては、バネ部４１０とシェル３００との間に間隙４３０を設けて、バネ部４１０を局所的に弾性変形しやすくして、引掛け部５５０がバネ片４００の下側にもぐりこめるように構成しているが、間隙４３０を設けずにバネ片４００の厚みを場所によって異ならせることとして引掛け部５５０がバネ片４００の下側にもぐりこめるように構成してもよい。また、上述した実施の形態によるバネ部４１０を真ん中で分断して、引掛け部５５０がバネ片４００の下側にもぐりやすくなるように構成してもよい。
【００４０】
（第２の実施の形態）
図１６乃至図２０を参照すると、本発明の第２の実施の形態によるコネクタ１０ａは、上述した第１の実施の形態によるコネクタ１０の変形例である。従って、図１６乃至図２０において、第１の実施の形態による構成要素と同様の構成要素については図１乃至図６と同じ参照符号を付すと共に説明を省略し、以下においては差異のみについて説明することとする。
【００４１】
図１９から理解されるように、本実施の形態においては、２つのバネ片４００ａがシェル３００ａと一体形成されている。それに対応して、図２０に示されるように、アクチュエータ５００ａには、２セットの引掛け部５５０ａと受棚５６０ａが設けられている。
【００４２】
詳しくは、図１８及び図１９に示されるように、各バネ片４００ａは、ピッチ方向に延びるバネ部４１０ａと、バネ部４１０ａをシェル３００ａから離すようにして支持する支持部４２０ａとを有している。本実施の形態において、支持部４２０ａはバネ部４１０ａの一端のみに設けられており、バネ部４１０ａの他端は曲げられてはいるもののシェル３００ａとは接続されていない自由端となっている。即ち、支持部４２０ａの数は１つであり、バネ片４００ａは幅広なＪ字状の形状を有している。支持部４２０ａの支持により、バネ部４１０ａとシェル３００ａとの間には、間隙４３０ａが形成されている。
【００４３】
図１８及び図２０に示されるように、各引掛け部５５０ａと各受棚５６０ａは、上述した第１の実施の形態と同様の構成を有している。即ち、引掛け部５５０ａの上面５５２ａと前面５５４ａとは鋭角をなしており、受棚５６０ａは前面５５４ａの下側に位置している。
【００４４】
かかる構成を備えるコネクタ１０ａに対してＦＰＣ５０を挿入すると、第１の実施の形態の場合と同様にして、両者の接続状態がロックされる。
【００４５】
ロック部５１０を解除位置まで変位させるべくアクチュエータ５００ａを操作すると、引掛け部５５０ａが対応するバネ片４００ａの下面４０２ａを押し上げ、その後、バネ片４００ａが引掛け部５５０ａから外れることにより、操作者はクリック感を得ることができる。
【００４６】
アクチュエータ５００ａの押圧操作を止めると、アクチュエータ５００ａは、コンタクト１００の上顎１１０の付勢により、ロック部５１０をロック位置に向けて移動させるような方向に変位する。その過程において、図２１及び図２２から理解されるように、引掛け部５５０ａの前面５５４ａがバネ片４００ａの端面４０４ａを押圧して、バネ片４００ａを変形させ、それによって、引掛け部５５０ａは、バネ片４００ａの下側にもぐりこむ。引掛け部５５０ａがバネ片４００ａの下側にもぐりこむと、バネ片４００ａは自己の弾性により図１８に示されるような初期状態に復帰することができる。
【００４７】
以上、本発明について実施の形態を掲げて具体的に説明してきたが、本発明はこれらに限定されるわけではない。例えば、バネ片４００は、上述したように引掛け部５５０と協同してクリック感を創出できるものであれば、シェル３００と別体であってもよい。また、接続対象物としてＦＰＣ５０を例に掲げて説明してきたが、本発明はこれに限定されるものではない。例えば、接続対象物は、ＦＦＣ（Flexible Flat Cable）でもよい。更に、接続対象物は、薄型の挿入部を有するプラグコネクタであってもよい。
【符号の説明】
【００４８】
１０，１０ａ        コネクタ
２０        挿入口
５０        ＦＰＣ（接続対象物）
５２        先端
５４        凹部
１００        コンタクト
１１０        上顎（付勢部材）
１２０        下顎
１３０        被保持部
２００        ハウジング
２０２        後端
２０４        前端
２１０        保持孔
３００，３００ａ        シェル
３１０        上部
３２０        前部
３３０        下部
３４０        ホールドダウン
４００，４００ａ        バネ片
４０２        下面
４０４，４０４ａ        端面
４１０，４１０ａ        バネ部
４２０，４２０ａ        支持部
４３０，４３０ａ        間隙
４４０        切り込み状部
５００，５００ａ        アクチュエータ
５１０        ロック部
５２０        収容部
５２２        被付勢部
５３０        平板部
５４０，５４０ａ        受容部
５５０，５５０ａ        引掛け部
５５２，５５２ａ        上面
５５４，５５４ａ        前面
５６０，５６０ａ        受棚
【図１】
2012204163.tif 000003
【図２】
2012204163.tif 000004
【図３】
2012204163.tif 000005
【図４】
2012204163.tif 000006
【図５】
2012204163.tif 000007
【図６】
2012204163.tif 000008
【図７】
2012204163.tif 000009
【図８】
2012204163.tif 000010
【図９】
2012204163.tif 000011
【図１０】
2012204163.tif 000012
【図１１】
2012204163.tif 000013
【図１２】
2012204163.tif 000014
【図１３】
2012204163.tif 000015
【図１４】
2012204163.tif 000016
【図１５】
2012204163.tif 000017
【図１６】
2012204163.tif 000018
【図１７】
2012204163.tif 000019
【図１８】
2012204163.tif 000020
【図１９】
2012204163.tif 000021
【図２０】
2012204163.tif 000022
【図２１】
2012204163.tif 000023
【図２２】
2012204163.tif 000024